(57)【要約】      （修正有）【課題】係合解除状態で扉が開いているときは、操作ハンドルのロック操作を規制することで、誤ってハンドルが操作されることを防止した扉の開閉装置を提供する。【解決手段】扉８に進退自在に設けられ、進行移動することでロック解除状態にある操作ハンドル１２のロック操作を規制してラッチ状態とし、退行移動することでラッチ状態を解除するラッチ係止部材５６と、扉に設けられ扉が戸口枠の開口を開閉したときに作動するトリガー作動部材５４と、開扉時に作動したトリガー作動部材がラッチ係止部材に作用してラッチ係止部材を進行移動させてラッチ状態とし、閉扉時に作動したトリガー作動部材がラッチ係止部材に作用してラッチ係止部材を退行移動させてラッチ状態を解除するラッチ装置５０と、を備えた。【選択図】図１０
2019132026.tif 000002
【特許請求の範囲】
【請求項１】
戸口枠(5)の開口を開閉する揺動可能な扉(8)と、
前記扉(8)の所定高さ位置に設けられた操作ハンドル(11,12)と、
前記扉(8)の上辺部(8b)と下辺部(8c)の少なくとも一方から出没可能なロック係合部材(24,34)と、
前記操作ハンドル(11,12)の回動を伝動して前記ロック係合部材(24,34)の出没動作に変換する伝動変換機構(20,30)と、を備え、
閉扉時に前記操作ハンドル(11,12)の係合操作により前記伝動変換機構(20,30)を介して前記扉(8)から突出した前記ロック係合部材(24,34)が、前記戸口枠(5)に設けられたロック受部(29h,39h)に係合されることでロック状態とし、
開扉時に前記操作ハンドル(11,12)のロック解除操作により前記伝動変換機構(20,30)を介して前記扉(8)に没入した前記ロック係合部材(24,34)が、前記ロック受部(29h,39h)から離脱することでロック解除状態とする扉の開閉装置において、
前記扉(8)に進退移動自在に設けられ、進行移動することでロック解除状態にある前記操作ハンドル(11,12)の係合操作を規制してラッチ状態とし、退行移動することでラッチ状態を解除するラッチ係止部材(56)と、
前記扉(8)に設けられ前記扉(8)が前記戸口枠(5)の開口を開閉したときに作動するトリガー作動部材(54)と、
開扉時に作動した前記トリガー作動部材(54)が前記ラッチ係止部材(56)に作用して前記ラッチ係止部材(56)を進行移動させてラッチ状態とし、閉扉時に作動した前記トリガー作動部材(54)が前記ラッチ係止部材(56)に作用して前記ラッチ係止部材(56)を退行移動させてラッチ状態を解除するラッチ装置(50)と、
を備えたことを特徴とする扉の開閉装置。
【請求項２】
前記トリガー作動部材(54)は、前記扉(8)から出没自在で付勢手段(55)により突出方向に付勢され、閉扉時に前記戸口枠(5)のトリガー受部(59)に接して前記付勢手段(55)の付勢力に抗して移動して前記扉内に没入し、開扉時に前記トリガー受部(59)から離れて前記付勢手段(55)の付勢力により扉から突出し、
前記ラッチ装置(50)は、開扉時に前記扉(8)から突出した前記トリガー作動部材(54)が前記ラッチ係止部材(56)を進行移動させてラッチ状態とし、閉扉時に前記扉内に没入した前記トリガー作動部材(54)が前記ラッチ係止部材(56)を退行移動させてラッチ状態を解除することを特徴とする請求項１記載の扉の開閉装置。
【請求項３】
前記トリガー作動部材(54)は、前記扉(8)の上辺部(8b)または下辺部(8c)で上下方向に出没自在であり、
前記トリガー受部(59)は、前記トリガー作動部材に対応して前記戸口枠(5)の上側水平枠部(5b)または下側水平枠部(5c)に設けられることを特徴とする請求項２記載の扉の開閉装置。
【請求項４】
前記操作ハンドル(11,12)のハンドル回動軸(16)にハンドル回動部材(13)が嵌着され、
前記扉(8)に立設された支軸(22,32)に被回動部材(23,33)が回動自在に軸支され、
前記被回動部材(23,33)に前記ロック係合部材(24,34)が突設され、
前記被回動部材(23,33)の回動により前記ロック係合部材(24,34)が旋回して前記扉(8)の上辺部(8b)または下辺部(8c)から出没し、
前記伝動変換機構(20,30)は、前記ハンドル回動部材(13)と前記被回動部材(23,33)がロッド部材(27a,27b,37a,37b)により連結されて四節リンク機構を構成し、
前記ラッチ装置(50)は、前記伝動変換機構(20,30)の水平方向側方に隣接して配置されることを特徴とする請求項３記載の扉の開閉装置。
【請求項５】
前記ラッチ装置(50)は、
前記トリガー作動部材(54)の上下方向の突出移動を前記ラッチ係止部材(56)の水平方向の進行移動に変換し、前記トリガー作動部材(54)の上下方向の没入移動を前記ラッチ係止部材(56)の水平方向の退行移動に変換し、
前記ラッチ係止部材(56)は、進行移動することでロック解除状態にある前記ロッド部材(27a,27b,37a,37b)の被係止部(27q)に係止して係合操作を規制してラッチ状態とし、
前記ラッチ係止部材(56)は、退行移動することでラッチ状態を解除することを特徴とする請求項４記載の扉の開閉装置。
【請求項６】
前記ラッチ装置(50)は、
前記トリガー作動部材(54)を一体に支持して上下方向に出没させる滑動部材(53)に、上下方向の出没移動方向に対して斜めの傾斜角度をもつ傾斜案内溝(53v)が形成され、
水平方向に進退移動する前記ラッチ係止部材(56)に突設された係合ピン(57)が、前記傾斜案内溝(53v)に摺動自在に係合し、
前記トリガー作動部材(54)の上下方向の出没移動により上下移動する前記滑動部材(53)の前記傾斜案内溝(53v)に前記係合ピン(57)が案内されて水平方向に移動し、前記係合ピン(57)とともに前記ラッチ係止部材(56)が水平方向に進退移動することを特徴とする請求項５記載の扉の開閉装置。
【発明の詳細な説明】
【技術分野】
【０００１】
本発明は、扉の開閉装置に関する。
【背景技術】
【０００２】
一般に、倉庫などに使用される比較的重量のある扉や建具の気密性や防音性を考慮した扉などの扉の開閉装置は、扉の上辺部と下辺部の少なくとも一方から出没するロック係合部材が、閉扉時にハンドル操作で扉から突出して戸口枠の受口に係合してロック状態とすることで、確実に締められた閉扉状態とし、開扉時にはハンドル操作で扉内にロック係合部材が没入して受口から抜けロック解除状態とする例（例えば、特許文献１参照）が多い。
【先行技術文献】
【特許文献】
【０００３】
【特許文献１】特開平１１−１９０１６２号公報
【０００４】
特許文献１には、扉の上辺部と下辺部の双方からロック係合部材である上方ロッドと下方ロッドが出没し、閉扉時に上方ロッドと下方ロッドが同時に突出して、戸口枠の上側水平枠部と下側水平枠部に設けられた受口に挿入してロック状態とし、開扉時に上方ロッドと下方ロッドが同時に没入して受口から抜けてロック解除状態とする扉の開閉装置が開示されている。
【０００５】
ハンドル部材が突設されるカムプレートの回動がカム機構を介して上方ロッドと下方ロッドを同時に出没させる。
また、同時に、カムプレートの回動は、扉の戸先面からデッドボルトを出没させる。
【０００６】
そして、錠操作により回動する施錠部材が、ロッドのロック状態にあるカム機構の一部に係止して施錠状態とし、ハンドル操作による係合の解除作動を規制することができる。
【発明の概要】
【発明が解決しようとする課題】
【０００７】
特許文献１に開示された扉の開閉装置は、扉が開いている状態では、上方ロッドと下方ロッドが扉の上辺部と下辺部に没入してロック解除状態にあるが、この上方ロッドと下方ロッドが没入状態にある開扉時に、誤ってハンドルが操作されてしまうと、上方ロッドと下方ロッドがそれぞれ扉の上辺部と下辺部から突出した状態となる。
【０００８】
上方ロッドと下方ロッドが扉の上辺部と下辺部から突出したまま、扉を閉めようとすると、上方ロッドと下方ロッドが戸口枠の上側水平枠部と下側水平枠部に衝接して、互いに衝接する両者に損傷を与えてしまう惧れがある。
なお、上方ロッドと下方ロッドは扉の上辺部と下辺部からそれぞれ突出しているので、扉を閉じようとする者には、上方ロッドと下方ロッドの突出に気付き難く、そのまま扉を閉めてしまう可能性が大きい。
【０００９】
本発明は、かかる点に鑑みなされたもので、その目的とする処は、ロック解除状態で扉が開いているときは、ハンドルの係合操作を規制することで、誤ってハンドルが操作されることを防止した扉の開閉装置を供する点にある。
【課題を解決するための手段】
【００１０】
上記目的を達成するために、本発明に係る扉の開閉装置は、
戸口枠の開口を開閉する揺動可能な扉と、
前記扉の所定高さ位置に設けられた操作ハンドルと、
前記扉の上辺部と下辺部の少なくとも一方から出没可能なロック係合部材と、
前記操作ハンドルの回動を伝動して前記ロック係合部材の出没動作に変換する伝動変換機構と、を備え、
閉扉時に前記操作ハンドルの係合操作により前記伝動変換機構を介して前記扉から突出した前記ロック係合部材が、前記戸口枠に設けられたロック受部に係合されることでロック状態とし、
開扉時に前記操作ハンドルのロック解除操作により前記伝動変換機構を介して前記扉に没入した前記ロック係合部材が、前記ロック受部から離脱することでロック解除状態とする扉の開閉装置において、
前記扉に進退移動自在に設けられ、進行移動することでロック解除状態にある前記操作ハンドルの係合操作を規制してラッチ状態とし、退行移動することでラッチ状態を解除するラッチ係止部材と、
前記扉に設けられ前記扉が前記戸口枠の開口を開閉したときに作動するトリガー作動部材と、
開扉時に作動した前記トリガー作動部材が前記ラッチ係止部材に作用して前記ラッチ係止部材を進行移動させてラッチ状態とし、閉扉時に作動した前記トリガー作動部材が前記ラッチ係止部材に作用して前記ラッチ係止部材を退行移動させてラッチ状態を解除するラッチ装置と、
を備えたことを特徴とする。
【００１１】
この構成によれば、開扉時に作動したトリガー作動部材がラッチ係止部材に作用してラッチ係止部材を進行移動させてラッチ状態とし、扉が開いている時にロック解除状態にある操作ハンドルの係合操作が規制されるので、誤って操作ハンドルの係合操作が行われることを防止することができる。
したがって、誤った係合操作によりロック係合部材が扉の上辺部と下辺部の少なくとも一方から突出し、ロック係合部材が突出したまま扉が閉じられることでロック係合部材がロック係合部材の戸口枠に衝接する事態を、回避することができる。
【００１２】
また、閉扉時に作動したトリガー作動部材がラッチ係止部材に作用してラッチ係止部材を退行移動させてラッチ状態を解除するので、ロック解除状態にある操作ハンドルの係合操作が可能で、係合操作によりロック係合部材を戸口枠に形成されたロック受部に係合してロック状態とすることができる。
【００１３】
前記構成において、
前記トリガー作動部材は、前記扉から出没自在で付勢手段により突出方向に付勢され、閉扉時に前記戸口枠のトリガー受部に接して前記付勢手段の付勢力に抗して移動して前記扉内に没入し、開扉時に前記トリガー受部から離れて前記付勢手段の付勢力により扉から突出し、
前記ラッチ装置は、開扉時に前記扉から突出した前記トリガー作動部材が前記ラッチ係止部材を進行移動させてラッチ状態とし、閉扉時に前記扉内に没入した前記トリガー作動部材が前記ラッチ係止部材を退行移動させてラッチ状態を解除するようにしてもよい。
【００１４】
この構成によれば、トリガー作動部材は、扉から出没自在で付勢手段により突出方向に付勢され、閉扉時に戸口枠のトリガー受部に接して付勢手段の付勢力に抗して移動して扉内に没入し、開扉時にトリガー受部から離れて付勢手段の付勢力により扉から突出するので、扉の開閉時にトリガー作動部材を確実に出没作動させることが、簡単な構造でできる。
【００１５】
ラッチ装置は、開扉時に扉から突出したトリガー作動部材がラッチ係止部材を進行移動させてラッチ状態とするので、ロック解除状態にある操作ハンドルの係合操作が規制され、誤って操作ハンドルの係合操作が行われることを防止することができる。
なお、閉扉時には扉内に没入したトリガー作動部材がラッチ係止部材を退行移動させてラッチ状態を解除するので、ロック解除状態にある操作ハンドルの係合操作が可能で、係合操作によりロック係合部材を戸口枠に形成されたロック受部に係合してロック状態とすることができる。
【００１６】
前記構成において、
前記トリガー作動部材は、前記扉の上辺部または下辺部で上下方向に出没自在に配設され、
前記トリガー受部は、前記トリガー作動部材に対応して前記戸口枠の上側水平枠部または下側水平枠部に設けられるようにしてもよい。
【００１７】
この構成によれば、トリガー作動部材は扉の上辺部または下辺部で上下方向に出没自在に配設され、トリガー受部はトリガー作動部材に対応して前記戸口枠の上側水平枠部または下側水平枠部に設けられるので、開扉時にトリガー作動部材は扉の上辺部または下辺部にあって見難い位置にあるため、突出したトリガー作動部材が誤って押されるようなことはなく、誤操作を防止することができる。
【００１８】
前記構成において、
前記操作ハンドルのハンドル回動軸部にハンドル回動部材が嵌着され、
前記扉に立設された支軸に被回動部材が回動自在に軸支され、
前記被回動部材に前記ロック係合部材が突設され、
前記被回動部材の回動により前記ロック係合部材が旋回して前記扉の上辺部または下辺部から出没し、
前記伝動変換機構は、前記ハンドル回動部材と前記被回動部材がロッド部材により連結されて四節リンク機構を構成し、
前記ラッチ装置は、前記伝動変換機構の水平方向側方に隣接して配置されるようにしてもよい。
【００１９】
この構成によれば、伝動変換機構は、ハンドル回動部材と被回動部材がロッド部材により連結されて簡単な構造の四節リンク機構を構成し、同伝動変換機構の水平方向側方に隣接してラッチ装置が配置されるので、ロッド部材により上下方向に長尺の伝動変換機構の側方に、ラッチ装置のトリガー作動部材が扉の上辺部または下辺部で上下方向に出没自在に配設され、伝動変換機構とラッチ装置を並べてコンパクトに配置することができる。
【００２０】
前記構成において、
前記ラッチ装置は、
前記トリガー作動部材の上下方向の突出移動を前記ラッチ係止部材の水平方向の進行移動に変換し、前記トリガー作動部材の上下方向の没入移動を前記ラッチ係止部材の水平方向の退行移動に変換し、
前記ラッチ係止部材は、進行移動することでロック解除状態にある前記ロッド部材の被係止部に係止して係合操作を規制してラッチ状態とし、
前記ラッチ係止部材は、退行移動することでラッチ状態を解除するようにしてもよい。
【００２１】
この構成によれば、ラッチ装置は、トリガー作動部材の上下方向の出没移動をラッチ係止部材の水平方向の進退移動に変換し、ラッチ係止部材が進行移動することでロック解除状態にあるロッド部材の被係止部に係止可能として係合操作を規制してラッチ状態とし、逆に、ラッチ係止部材が退行移動することでロッド部材の被係止部の動線から退避してラッチ状態を解除するので、ラッチ装置を簡単にかつコンパクトに構成することが可能である。
【００２２】
前記構成において、
前記ラッチ装置は、
前記トリガー作動部材を一体に支持して上下方向に出没させる滑動部材に、上下方向の出没移動方向に対して斜めの傾斜角度をもつ傾斜案内溝が形成され、
水平方向に進退移動する前記ラッチ係止部材に突設された係合ピンが、前記傾斜案内溝に摺動自在に係合し、
前記トリガー作動部材の上下方向の出没移動により上下移動する前記滑動部材の前記傾斜案内溝に前記係合ピンが案内されて水平方向に移動し、前記係合ピンとともに前記ラッチ係止部材が水平方向に進退移動するようにしてもよい。
【００２３】
ラッチ装置は、上下方向の出没移動するトリガー作動部材と一体の滑動部材の傾斜案内溝に係合ピンが案内されてラッチ係止部材が水平方向に進退移動する簡単な構造であり、部品点数も少なく小型のラッチ装置を安価に構成することができる。
【発明の効果】
【００２４】
本発明は、開扉時に作動したトリガー作動部材がラッチ係止部材に作用してラッチ係止部材を進行移動させてラッチ状態し、扉が開いている時には、ロック解除状態にある操作ハンドルの係合操作が規制されるので、誤って操作ハンドルの係合操作が行われることを防止することができる。
したがって、誤った係合操作によりロック係合部材が扉の上辺部と下辺部の少なくとも一方から突出し、ロック係合部材が突出したまま扉が閉じられることでロック係合部材が戸口枠に衝接する事態を、回避することができる。
【００２５】
また、閉扉時に作動したトリガー作動部材がラッチ係止部材に作用してラッチ係止部材を退行移動させてラッチ状態を解除するので、ロック解除状態にある操作ハンドルの係合操作が可能で、係合操作によりロック係合部材を戸口枠に形成されたロック受部に係合してロック状態とすることができる。
【図面の簡単な説明】
【００２６】
【図１】本発明の一実施の形態に係る扉の開閉装置を備えた扉および戸口の開扉時の建物の内側から視た概観図である。
【図２】閉扉時の建物の内側から視た扉および戸口枠の正面図である。
【図３】一部省略して内部構造を示した錠装置および扉の部分正面図である。
【図４】戸先側から視た同錠装置および扉の部分側面図（図２のIV矢視図）である。
【図５】図２のＶ−Ｖ矢視の断面図である。
【図６】戸口枠の鉛直枠部の部分側面図である。
【図７】閉扉時の開閉装置の要部正面図である。
【図８】図７のVIII−VIII矢視の部分断面図である。
【図９】図７のIX−IX矢視の断面図である。
【図１０】開扉時の開閉装置の要部正面図である。
【図１１】図１０のXI−XI矢視の部分断面図である。
【図１２】図１０のXII−XII矢視の断面図である。
【図１３】図１０のXIII矢視図である。
【図１４】図１３のXIV矢視のラッチ装置の正面図である。
【図１５】図１３のXV矢視のラッチ装置の一部省略した裏面図である。
【図１６】図１４のXVI−XVI矢視の断面図である。
【図１７】閉扉時のラッチ装置の正面図である。
【図１８】別の実施の形態に係る閉扉時の建物の内側から視た扉および戸口枠の正面図である。
【図１９】ラッチ装置の変形例を示す図である。
【図２０】ラッチ装置の別の変形例を示す図である。
【発明を実施するための形態】
【００２７】
以下、本発明に係る一実施の形態について図１ないし図１７に基づいて説明する。
図１は、本発明を適用した一実施の形態に係る扉の開閉装置10を備えた扉８および戸口４の開扉時の建物の内側から視た概観図である。
本実施の形態に係る扉８は、片扉である。
【００２８】
同図１を参照して、建物１の床２から立設された外壁３に戸口枠５で仕切られて矩形に開口した戸口４が形成され、戸口枠５に蝶番６を介して支持された扉８が揺動して同戸口４を開閉する。
本建物１は倉庫等の大型の建物で、使用される扉８も重量があり、戸口４を閉塞する扉８を建物１の外側に揺動することで、戸口４を開くことができる。
【００２９】
図１は、扉８が僅かに開いている状態を示す扉８および戸口４を建物１の内側から視た概観図である。
建物１の外壁３に戸口枠５で仕切られて矩形に開口した戸口４が形成され、扉８が建物１の外側を揺動して同戸口４を開閉する。
なお、戸口枠５にはクッション部材７が張り巡らされており、閉扉時に扉８の周辺突条部８ｐがクッション部材７に押圧されて、戸口４を液密に閉塞する（図５，図８，図９参照）。
【００３０】
図２は、扉８が戸口４を閉じた閉扉状態の建物１の内側から視た戸口４の内側正面図である。
扉８の内側面８ｉには、扉８の戸先８ａに沿って開閉装置10が設けられている。
図５および図７を参照して、扉８の所定高さ位置に外内一対の外側操作ハンドル11と内側操作ハンドル12が、扉８の外側と内側にそれぞれ設けられている。
外側操作ハンドル11と内側操作ハンドル12は、棒状のハンドルである。
【００３１】
図５に示されるように、一対の外側操作ハンドル11と内側操作ハンドル12は、共通のハンドル回動軸16を有し、外側操作ハンドル11は基端部11ｆがハンドル回動軸16の外側軸端拡径部16ｏに嵌着され、内側の操作ハンドル12は基端側のハンドル回動部材13がハンドル回動軸16の内側軸端拡径部16ｉに嵌着されている。
したがって、外内一対の外側操作ハンドル11と内側操作ハンドル12は、互いに同一方向に向いて、それぞれ扉８の外側面８ｏ，内側面８ｉに沿って、ハンドル回動軸16を介して一体に回動する。
【００３２】
内側の操作ハンドル12の基端側のハンドル回動部材13の外周部には、ロック係合部材であるロックローラ14が突設されている。
ロックローラ14は、ハンドル回動部材13の外周部からハンドル回動軸16に直交する方向に突出する支軸14ａに回転自在に軸支されている（図５，図６参照）。
【００３３】
扉８の戸先に沿って設けられた開閉装置10の外側操作ハンドル11と内側操作ハンドル12は上下に揺動可能であり、いずれか一方を下方に揺動することで、内側の操作ハンドル12の基端側のハンドル回動部材13の回動（図７の内側正面視で右回動）によりロックローラ14が旋回して扉８の戸先から突出し（図７に実線で示す）、逆に外側操作ハンドル11と内側操作ハンドル12のいずれか一方を上方に揺動することで、ハンドル回動部材13の回動（図７の内側正面視で左回動）によりロックローラ14が旋回して扉８の戸先８ａの内側に没入する（図７に２点鎖線で示すと同時に図１０に示す）。
【００３４】
戸口４を形成する戸口枠５は、扉８の戸先８ａに対向する鉛直枠部５ａと、扉８の上辺部８ｂに対向する上側水平枠部５ｂと、扉８の下辺部８ｃに対向する下側水平枠部５ｃを有し、図６および図７を参照して、扉８の戸先８ａに対向する鉛直枠部５ａには、扉８の戸先８ａから突出するロックローラ14を挿入可能な縦長矩形のローラ受口19ｈを有するローラ受部材19が取り付けられている。
【００３５】
図６に示されるように、ローラ受部材19の縦長矩形のローラ受口19ｈは、内外の垂直辺のうち外側垂直辺19ｖの下半部が外側に傾斜しており、旋回するロックローラ14がローラ受口19ｈに挿入されるときに、ロックローラ14は外側垂直辺19ｖに接して転動し、外側垂直辺19ｖの下半部の傾斜面から上半部の垂直面に移動するように係合することで、扉８を閉じ側に押え、扉８の周辺突条部８ｐがクッション部材７に強く押圧されて、戸口４を液密に確固として閉塞するロック状態とすることができる。
【００３６】
図５および図７を参照して、ハンドル回動軸16の内側軸端拡径部16ｉに嵌着されたハンドル回動部材13には、ハンドル回動軸16に関して対称位置に支持ピン15ａ，15ｂが扉８の内側面８ｉに向けて突設されている。
一方の支持ピン15ａは、ハンドル回動軸16に関して内側操作ハンドル12と反対側に位置し、他方の支持ピン15ｂは、ハンドル回動軸16に関して内側操作ハンドル12と同じ側に位置する。
【００３７】
図２および図７を参照して、内側の操作ハンドル12の基端側のハンドル回動部材13の真上には、扉８の内側面８ｉに突設された支軸22に回動自在に軸支された上側被回動部材23が設けられるとともに、ハンドル回動部材12ａの真下には、扉８の内側面８ｉに突設された支軸32に回動自在に軸支された下側被回動部材33が設けられている。
【００３８】
上側被回動部材23は、変形した菱形をしており、外周面に、ロック係合部材であるロックローラ24が突設されている。
図７および図８を参照して、変形菱形をした上側被回動部材23における支軸22に関して対称位置にある左右端部にそれぞれ支持ピン25ａ，25ｂが扉８の内側面８ｉに向けて突設され、上側被回動部材23における支持ピン25ａ，25ｂの間の下側の端部に支持ピン25ｃが扉８の内側面８ｉに向けて突設されている。
ロックローラ24は、上側被回動部材23における支持ピン25ａ，25ｂの間の上側の端部に径方向外側に向けて突設されている。
【００３９】
支軸22は、扉８の内側面８ｉに固着された基盤21に突設され、基盤21の支軸22より下方に延びた下端にばね受部21ｒが形成され、同ばね受部21ｒとその上方の上側被回動部材23の支持ピン25ｃとの間に圧縮ばね26が介装されている。
したがって、上側被回動部材23は下側端部の支持ピン25ｃが圧縮ばね26により上方に付勢された状態で回動して、左右端部の支持ピン25ａ，25ｂを支軸22を中心に互いに上下反対方向に揺動させることができる。
【００４０】
上側被回動部材23の回動により旋回するロックローラ24は、扉８の上辺部８ｂから出没する。
戸口枠５における扉８の上辺部８ｂに対向する上側水平枠部５ｂには、扉８の上辺部８ｂから突出するロックローラ24を挿入可能な横長矩形のロック受部であるローラ受口29ｈを有するローラ受部材29が取り付けられている。
ローラ受部材29は、鉛直枠部５ａに取り付けられた前記ローラ受部材19と略同じであり、ローラ受部材19のローラ受口19ｈと同じ形状のローラ受口29ｈが形成されている。
【００４１】
同様に、図７および図８を参照して、下側被回動部材33は、変形した菱形をしており、外周面に、ロック係合部材であるロックローラ34が突設されている。
変形菱形をした下側被回動部材33における支軸32に関して対称位置にある左右端部にそれぞれ支持ピン35ａ，35ｂが扉８の内側面８ｉに向けて突設され、支持ピン35ａ，35ｂの間の上側の端部に支持ピン35ｃが扉８の内側面８ｉに向けて突設されている。
ロックローラ34は、下側被回動部材33における支持ピン35ａ，35ｂの間の下側の端部に径方向外側に向けて突設されている。
【００４２】
支軸32は、扉８の内側面８ｉに固着された基盤31に突設され、基盤31の支軸32より上方に延びた上端にばね受部31ｒが形成され、同ばね受部31ｒとその下方の下側被回動部材33の支持ピン35ｃとの間に圧縮ばね36が介装されている。
したがって、下側被回動部材33は上側端部の支持ピン35ｃが圧縮ばね36により下方に付勢された状態で回動して、左右端部の支持ピン35ａ，35ｂを支軸32を中心に互いに上下反対方向に揺動させることができる。
【００４３】
下側被回動部材33の回動により旋回するロックローラ34は、扉８の下辺部８ｃから出没する。
戸口枠５における扉８の下辺部８ｃに対向する下側水平枠部５ｃには、扉８の下辺部８ｃから突出するロックローラ34を挿入可能な横長矩形のロック受部であるローラ受口39ｈを有するローラ受部材39が取り付けられている。
ローラ受部材39は、鉛直枠部５ａに取り付けられた前記ローラ受部材19と略同じであり、ローラ受部材19のローラ受口19ｈと同じ形状のローラ受口39ｈが形成されている。
【００４４】
ハンドル回動部材13の支持ピン15ａと上側被回動部材23の支持ピン25ａとが、上側ロッド部材27ａにより連結され、ハンドル回動部材13の支持ピン15ｂと上側被回動部材23の支持ピン25ｂとが、上側ロッド部材27ｂにより連結される。
上側ロッド部材27ａの下端部分27asと上端部分27auが、それぞれ支持ピン15ａ，25ａに軸支され、上側ロッド部材27ｂの下端部分27bsと上端部分27buが、それぞれ支持ピン15ｂ，25ｂに軸支されている。
【００４５】
このようにして、図２および図７に示されるように、ハンドル回動部材13と上側被回動部材23が上側ロッド部材27ａ，27ｂにより連結されて四節リンク機構（特に四節平行リンク機構）20を構成している。
該四節リンク機構20は、操作ハンドル12の揺動（すなわちハンドル回動部材13の回動）を伝動して上側被回動部材23を回動（すなわちロックローラ24を旋回）してロックローラ24の扉８の上辺部８ｂからの出没動作に変換する伝動変換機構である。
【００４６】
また同様に、ハンドル回動部材13の支持ピン15ａと下側被回動部材33の支持ピン35ａとが、下側ロッド部材37ａにより連結され、ハンドル回動部材13の支持ピン15ｂと下側被回動部材33の支持ピン35ｂとが、下側ロッド部材37ｂにより連結される。
下側ロッド部材37ａの上端部分37au（上側ロッド部材27ａの下端部分27asと一体に形成）と下端部分37asが、それぞれ支持ピン15ａ，35ａに軸支され、下側ロッド部材37ｂの上端部分37bu（上側ロッド部材27ｂの下端部分27bsと一体に形成）と下端部分37bsが、それぞれ支持ピン15ｂ，35ｂに軸支されている。
【００４７】
このようにして、図２および図７に示されるように、ハンドル回動部材13と下側被回動部材33が下側ロッド部材37ａ，37ｂにより連結されて四節リンク機構（特に四節平行リンク機構）30を構成している。
該四節リンク機構30は、操作ハンドル12の揺動（すなわちハンドル回動部材13の回動）を伝動して下側被回動部材33を回動（すなわちロックローラ34を旋回）してロックローラ34の扉８の下辺部８ｃからの出没動作に変換する伝動変換機構である。
【００４８】
したがって、操作ハンドル12の操作によりハンドル回動部材13が回動すると、上側ロッド部材27ａ，27ｂを介して上側被回動部材23がハンドル回動部材13と同じ方向に同じ角度回動する。
同時に、ハンドル回動部材13の回動は、下側ロッド部材37ａ，37ｂを介して下側被回動部材33に伝達され、下側被回動部材33をハンドル回動部材13と同じ方向に同じ角度回動する。
【００４９】
図７を参照して、実線で示す状態は、扉８が戸口４を閉じた閉扉時に、操作ハンドル12を下方に揺動操作したときのロック状態を示している。
操作ハンドル12を下方に揺動することで、操作ハンドル12の基端側のハンドル回動部材13が回動して、ハンドル回動部材13に突設されたロックローラ14が、旋回して扉８の戸先８ａから突出して、戸口枠５の鉛直枠部５ａに取り付けられたローラ受部材19のローラ受口19ｈに挿入されて、前記したように戸口４を液密に確固として閉塞するロック状態とする。
【００５０】
同時に、ハンドル回動部材13の回動が四節リンク機構20により上側被回動部材23に伝動されて上側被回動部材23が回動し、上側被回動部材23に突設されたロックローラ24が、旋回して扉８の上辺部８ｂから突出して、戸口枠５の上側水平枠部５ｂに取り付けられたローラ受部材29のローラ受口29ｈに挿入されてロック状態とする。
また同時に、ハンドル回動部材13の回動が四節リンク機構30により下側被回動部材33に伝動されて下側被回動部材33が回動し、下側被回動部材33に突設されたロックローラ34が、旋回して扉８の下辺部８ｃから突出して、戸口枠５の下側水平枠部５ｃに取り付けられたローラ受部材39のローラ受口39ｈに挿入されてロック状態とする。
【００５１】
すなわち、閉扉時に、操作ハンドル12を下方に揺動することで、ハンドル回動部材13が回動し、同時に、四節リンク機構20を介して上側被回動部材23が回動し、四節リンク機構30を介して下側被回動部材33が回動して、ハンドル回動部材13，上側被回動部材23，下側被回動部材33にそれぞれ突設されたロックローラ14，24，34が、同時に旋回して、戸口枠５の上下側方の３か所の各ローラ受口19ｈ，29ｈ，39ｈに挿入されてロック状態とする。
したがって、扉８は戸口４を液密に確固として閉塞することができる。
【００５２】
逆に、操作ハンドル12を上方に揺動することで、ハンドル回動部材13，上側被回動部材23，下側被回動部材33にそれぞれ突設されたロックローラ14，24，34が、同時に旋回して、戸口枠５の上下側方の３か所の各ローラ受口19ｈ，29ｈ，39ｈから抜けてロック解除状態とする（図７の２点鎖線、図１０，図１１参照）。
【００５３】
本開閉装置10には、図２に示されるように、扉８のハンドル回動軸16の上方に錠装置40が設けられている。
図３および図４を参照して、扉８の内側面８ｉに、錠ケース41が２本の上側ロッド部材27ａ，27ｂ間に配設されている。
【００５４】
錠ケース41内の上部にはシリンダ錠42のシリンダカム42ｃが収納されている。
シリンダ錠42は、扉８に貫装されており、外側面８ｏに錠口部42ａが露出しており、内側面８ｉにシリンダカム42ｃが突設されている。
【００５５】
シリンダカム42ｃの下には、カムフォロワ43が回動軸44に嵌着されて配置されており、回動軸44には、カムフォロワ43とともに作動レバー45が嵌着されている。
シリンダ錠42に鍵を挿入して操作すると、シリンダカム42ｃが回動してカム片42ctがカムフォロワ43の歯部43ｔに噛み合い、回動軸44を作動レバー45とともに回動する。
回動軸44の内側端部にサムターン46が突設され、サムターン46の回動操作により直接回動軸44を作動レバー45とともに回動することができる。
なお、作動レバー45の先端部には、圧縮ばね47の付勢力が上方向に働いている。
【００５６】
作動レバー45の下には、直方体状の錠係止部材48が水平方向に進退移動自在に設けられており、錠係止部材48の上辺部に形成された凹部48ｖに作動レバー45の先端が係合して作用する。
【００５７】
図３において実線で示す状態は、錠係止部材48が上側ロッド部材27ａ側に向けて進行移動して突出している状態であり、ロックローラ14，24，34が、３か所のローラ受口19ｈ，29ｈ，39ｈにそれぞれ挿入されてロック状態にあって上昇した上側ロッド部材27ａの下端部分27asの扉８の内側面８ｉ側に突出した被係止突起27ｐの直下に、錠係止部材48が突出している。
したがって、上側ロッド部材27ａの被係止突起27ｐが錠係止部材48に当接して、上側ロッド部材27ａの下降が規制される施錠状態にある。
【００５８】
シリンダ錠42に鍵を挿入して解錠操作すると、シリンダカム42ｃが回動し、カムフォロワ43に作用して作動レバー45を回動し、作動レバー45は錠係止部材48を退行移動させるので、図３において２点鎖線で示すように、錠係止部材48が退行移動して、上側ロッド部材27ａの被係止突起27ｐの動線から錠係止部材48を退避して、上側ロッド部材27ａの昇降を自由にし、施錠状態を解除する。
なお、サムターン46の解錠操作によっても施錠状態を解除することができる。
【００５９】
図２に示されるように、扉８の内側面８ｉには、戸先８ａ寄りの上部に設けられた上側被回動部材23に隣接してラッチ装置50が設けられている。
図１３ないし図１７を参照して、ラッチ装置50には、互いに対向する側板51ａ，51ｂと両側板51ａ，51ｂを連結する連結板51ｃとでチャンネル状に形成されたラッチケース51の開口部に同じくチャンネル状をした裏板52が蓋をするように嵌合して支持フレームが形成されている。
ラッチケース51の側板51ａ，51ｂの屈曲した端部が扉８の内側面８ｉに当接して固着されてラッチ装置50が取り付けられる。
【００６０】
ラッチケース51と裏板52との間に形成される矩形孔に四角柱状の滑動部材53が上下に昇降自在に嵌合し、滑動部材53は圧縮ばね55により上方向に付勢されている。
また、滑動部材53には上部のラッチケース51の側板51ａに沿った部分が切り欠かれ、この切欠き部にトリガー作動部材54が一体に嵌着されている。
【００６１】
トリガー作動部材54は、滑動部材53の上面よりも上方に突出しており、滑動部材53の上面よりも上方部分は、上面が斜めに傾斜した傾斜面54ｓを形成している。
滑動部材53の裏板52に沿った面には、図１５に示すように、斜め約４５度に傾斜した傾斜案内溝53ｖが形成されている。
【００６２】
一方、ラッチケース51の互いに対向する側板51ａ，51ｂに形成された対向する矩形孔51ｈおよび裏板52に形成された切欠き52ｈを、直方体状のラッチ係止部材56が貫通して扉８の内側面８ｉに平行な水平方向に進退移動自在に支持されている（図１６参照）。
【００６３】
該ラッチ係止部材56には、扉８の内側面８ｉに垂直方向に係合ピン57が貫装されている。
ラッチ係止部材56を貫通した係合ピン57の一方の突出した部分が、裏板52の切欠き52ｈを通って滑動部材53の裏板52に沿った面に形成された傾斜案内溝53ｖに係合している。
【００６４】
図１４ないし図１６は、扉８が開いた開扉時に、トリガー作動部材54が滑動部材53と一体に最も上昇している状態を示している。
このとき、ラッチ係止部材56は進行移動して上側ロッド部材27ｂの方に突出しており、ラッチ係止部材56に貫装された係合ピン57が滑動部材53の傾斜案内溝53ｖの最低部位に係合して滑動部材53およびトリガー作動部材54のこれ以上の上昇が規制されている。
【００６５】
開扉時に上昇した上側ロッド部材27ｂの上端部分27buの扉８の内側面８ｉ側に突出した被係止突起27ｑの直下に、ラッチ係止部材56が進行移動して突出している（図１０，図１１参照）。
したがって、上側ロッド部材27ｂの被係止突起27ｑがラッチ係止部材56に当接して、上側ロッド部材27ｂの下降が規制されるラッチ状態にある。
【００６６】
この開扉時の状態から扉８が戸口４を閉じると、扉８の上辺部８ｂで上方に突出するトリガー作動部材54の上面の傾斜面54ｓが、扉８の上辺部８ｂに対向する戸口枠５の上側水平枠部５ｂに取り付けられたトリガー受板59に当接してトリガー作動部材54を押し下げ、トリガー作動部材54と一体の滑動部材53を圧縮ばね55の付勢力に抗して下降させる。
【００６７】
滑動部材53が下降すると、滑動部材53の傾斜案内溝53ｖに係合ピン57が案内されて係合ピン57とともにラッチ係止部材56を退行移動させるので、図７に示されるように、ラッチ係止部材56が退行移動して、被係止突起27ｑの動線から退避して、上側ロッド部材27ｂの昇降を自由にし、ラッチ状態を解除する。
【００６８】
このように、ラッチ装置50は、開扉時に上昇したトリガー作動部材54が滑動部材53を介してラッチ係止部材56に作用してラッチ係止部材56を進行移動させてラッチ状態とし、閉扉時にトリガー受板59に当接して下降したトリガー作動部材54が滑動部材53を介してラッチ係止部材56に作用してラッチ係止部材56を退行移動させてラッチ状態を解除する。
【００６９】
図７ないし図９は、扉８が戸口４を閉じた閉扉時に、外側操作ハンドル11または内側操作ハンドル12を下方に揺動操作したときのロック状態を示している。
すなわち、操作ハンドル12の基端側のハンドル回動部材13に突設されたロックローラ14が、戸口枠５の鉛直枠部５ａに取り付けられたローラ受部材19のローラ受口19ｈに挿入して係合され、同時に、四節リンク機構20を介して回動した上側被回動部材23に突設されたロックローラ24が、戸口枠５の上側水平枠部５ｂに取り付けられたローラ受部材29のローラ受口29ｈに挿入して係合され、さらに四節リンク機構30を介して回動した下側被回動部材33に突設されたロックローラ34が、戸口枠５の下側水平枠部５ｃに取り付けられたローラ受部材39のローラ受口39ｈに挿入して係合されて、扉８を閉じ側に押え、扉８の周辺突条部８ｐがクッション部材７に強く押圧されて、扉８が戸口４を液密に確固として閉塞したロック状態となっている。
【００７０】
ロック状態では、扉８が戸口４を閉じているので、ラッチ装置50はトリガー作動部材54がトリガー受板59に当接して押し下げられ滑動部材53とともに下降してラッチ係止部材56を退行移動させている。
【００７１】
このロック状態において、建物１の外側から錠装置40のシリンダ錠42に鍵を挿入して施錠操作すると、錠係止部材48が進行移動して、図３および図４に示すように、上昇した上側ロッド部材27ａの被係止突起27ｐの直下に錠係止部材48が突出して、上側ロッド部材27ａの下降が規制されることで、操作ハンドル12の操作が規制された施錠状態とすることができる。
なお、建物１の内側でサムターン46を施錠操作しても同様に施錠状態とすることができる。
【００７２】
施錠状態にある錠装置40のシリンダ錠42に鍵を挿入して解錠操作するか、またはサムターン46を解錠操作すると、錠係止部材48が退行移動して上側ロッド部材27ａの昇降を自由にして施錠状態を解除することができる。
【００７３】
施錠状態が解除された状態で、外側操作ハンドル11または内側操作ハンドル12を上方に揺動すると、図１０ないし図１２に示されるように、ハンドル回動部材13，上側被回動部材23，下側被回動部材33にそれぞれ突設されたロックローラ14，24，34が、同時に旋回して、図７の２点鎖線で示すように、戸口枠５の上下側方の３か所の各ローラ受口19ｈ，29ｈ，39ｈから抜けてロック解除状態とする。
【００７４】
したがって、扉８を揺動して戸口４を開くことができ、扉８が戸口枠５から離れると、図１０ないし図１２を参照して、ラッチ装置50におけるトリガー受板59により押えられていたトリガー作動部材54の押えがなくなり、トリガー作動部材54は圧縮ばね55の付勢力により上方に突出する。
【００７５】
トリガー作動部材54が上方に突出すると、トリガー作動部材54とともに滑動部材53が上昇することで、滑動部材53の傾斜案内溝53ｖに係合した係合ピン57が上昇する傾斜案内溝53ｖに案内されて水平に移動して係合ピン57とともにラッチ係止部材56が進行移動し、上昇していた上側ロッド部材27ｂの上端部27baの被係止突起27ｑの直下に突出する（図１０参照）。
したがって、上側ロッド部材27ｂの被係止突起27ｑがラッチ係止部材56に当接して、上側ロッド部材27ｂの下降が規制されるラッチ状態となる。
【００７６】
このように、図１０を参照して、外側操作ハンドル11または内側操作ハンドル12を上方に揺動してロック状態を解除して、扉８を開けたときは、ラッチ装置50が作動して、ラッチ係止部材56が上側ロッド部材27ｂの被係止突起27ｑの直下に突出して、上側ロッド部材27ｂの下降が規制されるラッチ状態となるので、外側操作ハンドル11および内側操作ハンドル12の下方への揺動操作ができなくなる。
したがって、開扉時に外側操作ハンドル11および内側操作ハンドル12が下方に揺動操作（ロック操作）されることを防止することができる。
【００７７】
開扉時にロック操作ができないので、扉８が開いた状態で開閉装置10のロックローラ14，24，34が、扉８から突出することはなく、ロックローラ14，24，34が突出したまま扉８が閉じられることで生じるロックローラ14，24，34の戸口枠５への衝接を回避することができる。
【００７８】
図１７に示されるように、トリガー作動部材54は、扉８から出没自在で圧縮ばね55により突出方向に付勢され、閉扉時に戸口枠５のトリガー受板59に接して圧縮ばね55の付勢力に抗して移動して扉８内に没入し、図１４に示されるように、開扉時にトリガー作動部材54は、トリガー受板59から離れて圧縮ばね55の付勢力により扉８から突出するので、扉８の開閉時にトリガー作動部材54を確実に出没作動させることが、簡単な構造でできる。
【００７９】
図１０に示されるように、ラッチ装置50は、開扉時に扉から突出したトリガー作動部材54がラッチ係止部材56を進行移動させてラッチ状態とするので、ロック解除状態にある操作ハンドル11，12のロック操作が規制され、誤って操作ハンドル11，12のロック操作が行われることを防止することができる。
なお、図７に示されるように、閉扉時には扉内に没入したトリガー作動部材54がラッチ係止部材56を退行移動させてラッチ状態を解除するので、ロック解除状態にある操作ハンドル11，12のロック操作が可能で、ロック操作によりロックローラ24，34を戸口枠５に形成されたローラ受口29ｈ，39ｈに係合してロック状態とすることができる。
【００８０】
図１０を参照して、トリガー作動部材54は扉８の上辺部８ｂで上下方向に出没自在に配設され、トリガー受部59はトリガー作動部材54に対応して戸口枠５の上側水平枠部５ｂに設けられるので、開扉時にトリガー作動部材54は扉８の上辺部８ｂにあって見難い位置にあるため、突出したトリガー作動部材54が誤って押されるようなことはなく、誤操作を防止することができる。
【００８１】
図７および図１０を参照して、ハンドル回動部材13と上側被回動部材23が上側ロッド部材27ａ，27ｂにより連結されて簡単な構造の四節リンク機構20が構成され、同四節リンク機構20の水平方向側方に隣接してラッチ装置50が配置されるので、上側ロッド部材27ａ，27ｂにより上下方向に長尺の四節リンク機構20の側方に、ラッチ装置50のトリガー作動部材54が扉８の上辺部８ｂで上下方向に出没自在に配設され、四節リンク機構20とラッチ装置50を並べてコンパクトに配置することができる。
【００８２】
図７および図１０を参照して、ラッチ装置50は、トリガー作動部材54の上下方向の出没移動をラッチ係止部材56の水平方向の進退移動に変換し、ラッチ係止部材56が進行移動することでロック解除状態にある上側ロッド部材27ｂの被係止突起27ｑに係止可能としてロック操作を規制してラッチ状態とし、逆にラッチ係止部材が退行移動することでロッド部材の被係止部の動線から退避してラッチ状態を解除するので、ラッチ装置を簡単にかつコンパクトに構成することが可能である。
【００８３】
図１４ないし図１７を参照して、ラッチ装置50は、上下方向の出没移動するトリガー作動部材54と一体の滑動部材53の傾斜案内溝53ｖに係合ピン57が案内されてラッチ係止部材56が水平方向に進退移動する簡単な構造であり、部品点数も少なく小型のラッチ装置50を安価に構成することができる。
【００８４】
以上の実施の形態に係る扉８は、片扉であったが、別の実施の形態として観音開きする両扉の例を、図１８に示し説明する。
図１８は、閉扉時の建物の内側から視た扉および戸口枠の正面図である。
床102から立設された外壁103に戸口枠105で仕切られて矩形に開口した戸口を、左右両扉８，108が開閉自在で、図１８は、閉じた状態を示している。
【００８５】
図１８の正面図において、右側の扉８は、前記実施の形態の扉８と略同じであり、同じ部材は同じ符号を用いて示している。
すなわち、扉８は、内側操作ハンドル12の揺動操作を被回動部材23，33に伝動してロックローラ24，34の出没動作に変換する四節リンク機構（伝動変換機構）20，30とともに錠装置40およびラッチ装置50が設けられている。
戸口枠105には、ロックローラ24，34に対向してローラ受口29ｈ，39ｈが設けられている。
【００８６】
図示されないが、扉８に関して内側操作ハンドル12の対称の表側位置に外側操作ハンドル11が設けられている。
なお、内側操作ハンドル12の基端側のハンドル回動部材13には、ロックローラ14が突設されている。
【００８７】
他方、左側の扉108は、右側の扉８と左右対称で、戸口枠105に蝶番106により揺動自在に支持されて、両扉８，108は観音開きする。
左側の扉108には、右側の扉８とは略左右対称に、内側操作ハンドル112、内側操作ハンドル112の揺動操作を被回動部材123，133に伝動してロックローラ124，134の出没動作に変換する四節リンク機構120，130を備える開閉装置110およびラッチ装置150が設けられている。
【００８８】
開閉装置110およびラッチ装置150は、開閉装置10およびラッチ装置50と左右対称に構成されているが、構造は同じである。
戸口枠105には、ロックローラ124，134に対向してローラ受口129ｈ，139ｈが設けられている。
【００８９】
しかし、内側操作ハンドル112の基端側のハンドル回動部材113には、ロックローラが突設されていない。
また、左側の扉108には、錠装置は設けられていない。
外側操作ハンドルも存在しない。
内側操作ハンドル12の基端側のハンドル回動部材13に突設されたロックローラ14に対向するローラ受口119ｈは、左側の扉108の戸先108ａに設けられている。
【００９０】
図１８に示されるように、左右の扉８，108を閉じた閉扉時には、内側操作ハンドル12，112が下方に揺動操作されて、左側の扉108は、四節リンク機構120，130を介して突出したロックローラ124，134がローラ受口129ｈ，139ｈに係合されてロック状態となっており、右側の扉８は、内側操作ハンドル12の基端側のハンドル回動部材13に突設されたロックローラ14が、ロック状態の左側の扉108の戸先108ａに設けられたローラ受口119ｈに係合され、同時に、四節リンク機構20，30を介して突出したロックローラ24，34がローラ受口29ｈ，39ｈに係合されて、扉８が戸口を液密に確固として閉塞したロック状態となっている。
【００９１】
そして、このロック状態において、錠装置40の錠係止部材48が突出して内側操作ハンドル12および外側操作ハンドルの操作が規制された施錠状態となっている。
したがって、建物の外側からは、鍵を使用して解錠しない限り外側操作ハンドルを操作することはできない。
【００９２】
錠装置40の施錠状態を解除して、開扉するときは、まず右側の扉８の操作ハンドル11，12を上方に揺動する操作をして、ロックローラ14，24，34を同時に旋回して、各ローラ受口119ｈ，29ｈ，39ｈから抜いてロック解除状態として、右側の扉８を外側に揺動して開く。
その後、左側の扉108の内側操作ハンドル112を上方に揺動する操作をして、ロックローラ124，134を同時に旋回して、各ローラ受口129ｈ，139ｈから抜いてロック解除状態として、左側の扉108を外側に揺動して開く。
【００９３】
右側の扉８が開くと、ラッチ装置50は、トリガー作動部材54がトリガー受板159から外れて上方に突出することで、ラッチ係止部材56が進行移動し、ロック操作が規制されるラッチ状態となるので、誤って操作ハンドル11，12を下方に揺動するロック操作が防止される。
同様に、左側の扉108が開くと、ラッチ装置150は、トリガー作動部材154が上方に突出することで、ラッチ係止部材156が進行移動し、ロック操作が規制されるラッチ状態となるので、誤って内側操作ハンドル112を下方に揺動するロック操作が防止される。
【００９４】
両扉８，108はともに開扉時にロック操作ができない。
したがって、扉108が開いた状態で開閉装置110のロックローラ124，134が、扉108から突出することはなく、ロックローラ124，134が突出したまま扉108が閉じられることで、ロックローラ124，134が戸口枠105に衝接するのを回避することができる。
また、扉８が開いた状態で開閉装置10のロックローラ14，24，34が、扉８から突出することはなく、ロックローラ14，24，34が突出したまま扉８が閉じられることで、ロックローラ14，24，34が扉108の戸先108ａおよび戸口枠105に衝接するのを回避することができる。
【００９５】
前記実施の形態では、開扉時に上昇した上側ロッド部材27ｂの上端部分27buの扉８の内側面８ｉ側に突出した被係止突起27ｑの直下に、ラッチ装置50のラッチ係止部材56が進行移動して突出することで、上側ロッド部材27ｂの被係止突起27ｑがラッチ係止部材56に当接して、上側ロッド部材27ｂの下降が規制されるラッチ状態として、外側操作ハンドル11および内側操作ハンドル12の下方への揺動操作ができないようにし、ロックローラ14，24，34が突出して、扉108の戸先108ａおよび戸口枠105に衝接するのを回避している。
【００９６】
ラッチ係止部材は、被係止突起27ｑに当接するようにする以外に、上側被回動部材23の回動を規制すればラッチ状態とすることができる。
そこで、ラッチ状態とする２つの変形例を、図１９と図２０にそれぞれ示し説明する。
なお、図１９および図２０は、前記実施の形態の図１１が対応する図であり、同じ部材は同じ符号を用いて説明する。
【００９７】
図１９に示す変形例では、変形菱形をした上側被回動部材23に上側ロッド部材27ｂと連結される支持ピン25bxが扉８に向けて突出しており、開扉時に、図１９に示すように、上昇した該支持ピン25bxの直下にラッチ係止部材56ｘが進行移動して突出することで、支持ピン25bxがラッチ係止部材56ｘに当接して、上側被回動部材23の回動が規制されるラッチ状態となり、操作ハンドルの揺動操作をできないようにしている。
【００９８】
図２０に示す変形例では、変形菱形をした上側被回動部材23ｙの一部に切欠き23yhが形成されており、開扉時に、図１９に示すように、回動した上側被回動部材23ｙの切欠き23yhにラッチ係止部材56ｙが進行移動して突入して、上側被回動部材23ｙの切欠き23yhの上面の直下にラッチ係止部材56ｙが位置することで、上側被回動部材23ｙの切欠き23yhの上面がラッチ係止部材56ｙに当接して、上側被回動部材23の回動が規制されるラッチ状態となり、操作ハンドルの揺動操作をできないようにしている。
【００９９】
以上、本発明に係る実施の形態に係る扉の開閉装置について説明したが、本発明の態様は、上記実施の形態に限定されず、本発明の要旨の範囲で、多様な態様で実施されるものを含むものである。
【０１００】
例えば、上記実施の形態に係る開閉装置10，110は、扉の上辺部と下辺部の双方からロックローラ24，34が出没する構成であったが、上辺部と下辺部のいずれか一方からのみロック係合部材が出没する構成であってもよい。
また、ロック係合部材は、ロックローラのほかロックロッドやロックバーなどのロック係合部材でもよい。
【符号の説明】
【０１０１】
１…建物、２…床、３…外壁、４…戸口、５…戸口枠、５ａ…鉛直枠部、５ｂ…上側水平枠部、５ｃ…下側水平枠部、６…蝶番、７…クッション部材、８…扉、８ｉ…内側面、８ａ…戸先、８ｂ…上辺部、８ｃ…下辺部、９…、
10…開閉装置、11…外側操作ハンドル、12…内側操作ハンドル、13…ハンドル回動部材、14…ロックローラ、15ａ，15ｂ…支持ピン、16…ハンドル回動軸、19…ローラ受部材、19ｈ…ローラ受口、
20…四節リンク機構（伝動変換機構）、21…基盤、22…支軸、23…上側被回動部材、24…ロックローラ、25ａ，25ｂ，25ｃ…支持ピン、26…圧縮ばね、27ａ，27ｂ…上側ロッド部材、27ｑ…被係止突起、29…ローラ受部材、29ｈ…ローラ受口、
30…四節リンク機構（伝動変換機構）、31…基盤、32…支軸、33…下側被回動部材、34…ロックローラ、35ａ，35ｂ，35ｃ…支持ピン、36…圧縮ばね、37ａ，37ｂ…下側ロッド部材、38…、39…ローラ受部材、39ｈ…ローラ受口、
40…錠装置、41…錠ケース、42…シリンダ錠、42ｃ…シリンダカム、42ct…カム片、43…カムフォロワ、43ｔ…歯部、44…回動軸、45…作動レバー、46…サムターン、47…圧縮ばね、48…錠係止部材、48ｖ…凹部、
50…ラッチ装置、51…ラッチケース、52…裏板、53…滑動部材、53ｖ…傾斜案内溝、54…トリガー作動部材、55…圧縮ばね、56…ラッチ係止部材、57…係合ピン、58…、59…トリガー受板、
102…床、105…戸口枠、106…蝶番、108…扉、108ａ…戸先、
110…開閉装置、112…内側操作ハンドル、113…ハンドル回動部材、119ｈ…ローラ受口、
120…四節リンク機構、123…被回動部材、124…ロックローラ、129ｈ…係合受口、
130…四節リンク機構、133…被回動部材、134…ロックローラ、139ｈ…係合受口、
150…ラッチ装置、154…トリガー作動部材、156…ラッチ係止部材、159…トリガー受板、
25bx…支持ピン、56ｘ…ラッチ係止部材、
23ｙ…上側被回動部材、23yh…切欠き、56ｙ…ラッチ係止部材。
【図１】
2019132026.tif 000003
【図２】
2019132026.tif 000004
【図３】
2019132026.tif 000005
【図４】
2019132026.tif 000006
【図５】
2019132026.tif 000007
【図６】
2019132026.tif 000008
【図７】
2019132026.tif 000009
【図８】
2019132026.tif 000010
【図９】
2019132026.tif 000011
【図１０】
2019132026.tif 000012
【図１１】
2019132026.tif 000013
【図１２】
2019132026.tif 000014
【図１３】
2019132026.tif 000015
【図１４】
2019132026.tif 000016
【図１５】
2019132026.tif 000017
【図１６】
2019132026.tif 000018
【図１７】
2019132026.tif 000019
【図１８】
2019132026.tif 000020
【図１９】
2019132026.tif 000021
【図２０】
2019132026.tif 000022